Podtech/llm-jp-corpus-v4-ja_patent huggingface dataset:
(57)【要約】【課題】  本発明は、永久磁石型回転子の着磁時の電磁的衝撃力による巻線の変形及び耐電圧不良を防止すると共に、固定子の低価格化が可能となる着磁方法および圧縮機の組立方法を提供する。【解決手段】  本発明によれば、圧縮機の圧縮機構部を組み立て後、回転軸に回転子を嵌合した状態において着磁専用コイルにて回転子の着磁を行なう。次に、回転子にガイドを取り付けケースと固定子を嵌合した部材を組付ける。これにより固定子を使用せずに着磁が可能となる。【選択図】  図５
2005318699.tif 000002
【特許請求の範囲】
【請求項１】
固定子と永久磁石を設けた回転子と、前記回転子の中心孔に嵌合する回転軸を有する永久磁石型電動機を備えた圧縮機の製造方法において、
前記圧縮機の圧縮機構部を組み立てる工程と、
回転軸に回転子を嵌合する工程と、
前記圧縮機構部に回転子を嵌合した状態で回転子を着磁する工程と、
前記圧縮機構部にケースと固定子を嵌合した部材を挿嵌する工程と、
圧縮機構部とケース部材を固定する工程を備えたことを特徴とする圧縮機の製造方法。
【請求項２】
前記圧縮機構部を組み立て、回転軸に回転子を嵌合した状態で着磁専用コイルを使用し着磁を行なう工程を備えたことを特徴とする圧縮機の製造方法。
【請求項３】
前記圧縮機構部を組み立て、回転子を着磁した部材に回転子外径と固定子内径のエアーギャップを一定に保つ為のスペーサ治具と、固定子を嵌合する際にガイドとなる円筒形の治具を使用し、ケースと固定子を嵌合した部材を圧縮機構部材に嵌挿する工程を備えたことを特徴とする圧縮機の製造方法。
【発明の詳細な説明】
【技術分野】
【０００１】
本発明は、永久磁石型回転子を使用した電動機を駆動源とする圧縮機の組立方法および回転子の着磁方法に関するものである。
【背景技術】
【０００２】
従来圧縮機の駆動用電動機には、性能向上の観点から永久磁石を有する回転子を備えた電動機が使用されている。
【０００３】
このような永久磁石型電動機の組み立てにおいて、固定子を回転子に嵌挿するとき、回転子の永久磁石が磁化されていると、その磁力により固定子やケース部材乃至異物等が回転子に吸着してしまい、固定子を回転子に嵌挿することが困難となる。
【０００４】
このため、従来は回転子を磁化しないまま固定子を回転子に嵌挿し圧縮機を組み立て、固定子巻線に着磁電圧を印加して回転子周辺に磁界を発生させ、その磁界により回転子内の磁性材を磁化させる方法が採られていた。
【発明の開示】
【発明が解決しようとする課題】
【０００５】
しかし、従来の着磁方法では着磁電圧印加時に固定子巻線の変形、耐電圧不良及びレアショート等の問題が発生していた。さらに、２回の着磁が必要となるモータの場合は、この問題は更に深刻化している。
【課題を解決するための手段】
【０００６】
上記課題を解決する為、固定子巻線を使用せず、着磁専用コイルを使用し回転子の着磁後組み立てを行なう。
【発明の効果】
【０００７】
本発明の着磁方法では着磁時に固定子巻線に生じる耐電圧不良、レアショート及び変形等の問題を解消することが可能となり、信頼性の向上につながる。
【０００８】
着磁時の電磁的衝撃による耐電圧不良、レアショート及び変形等を押さえる為の絶縁シート、エンドコイルの成形、巻線の絶縁処理等を簡略化することによって価格低減が可能となる。
【０００９】
本発明の着磁方法によれば、固定子巻線の絶縁破壊等を抑える為に着磁電圧を抑える必要が無くなり、十分な着磁電圧を印加することが可能となる。これにより固定子巻線や回転子の個体差や圧縮機の組立時に生じる寸法誤差の影響を受けることなく、マグネットの飽和状態まで着磁することが可能となる。
【発明を実施するための最良の形態】
【００１０】
以下、本発明の実施の形態を図に従って説明する。図１に示す本実施形態における圧縮機の構成は、密閉容器内に電動機部と圧縮機構部を有する。電動機部は、密閉容器１に焼嵌等で固定された固定子と、圧縮機構部の回転軸に固定された回転子とで構成されている。回転子はフェライト乃至ネオジウム磁石が配された、永久磁石型回転子で構成される。
【００１１】
次に、圧縮機の組立方法を説明する。まず、図２の如く圧縮機構部を組み立て、回転軸に回転子を焼嵌または圧入等により嵌合し、着磁専用コイルを使用し回転子の着磁を行なう。
【００１２】
次に図３のように上記回転子に、回転子外径と固定子内径のエアーギャップを一定に保つ為のスペーサと、固定子を嵌挿するときのガイドとなる円筒形状の治具をセットし、ケースと固定子を嵌合した部材を嵌挿する（このスペーサ及びガイド治具は共に非磁性材料を用いる）。
【００１３】
次に、円筒形のガイド治具を取り除き、次工程にてケースと圧縮機構部とをアークスポット溶接にて締結後，スペーサを取り除く。
【００１４】
回転子外径と固定子内径のエアーギャップを一定に保つ為のスペーサと、固定子を嵌挿するときのガイドとなる円筒形状の治具を使用することによって、磁化された回転子にケース乃至固定子が吸着されず容易に回転子に嵌挿することができる。
【図面の簡単な説明】
【００１５】
【図１】本発明における永久磁石型回転子を使用した圧縮機。
【図２】本発明における回転子を磁化する工程の組立状態である。
【図３】回転子に、回転子外径と固定子内径のエアーギャップを一定に保つ為のスペーサと、固定子を嵌挿するときのガイドとなる円筒形状の治具をセットした図である。
【図４】圧縮機構部とケース部材の組立時の状態を示した図である。
【図５】圧縮機構部とケース部材を組み立て，圧縮機構部を固定した状態の図である。
【符号の説明】
【００１６】
１…ケース、２…固定子巻線、３…回転子、４…回転軸、５…圧縮機構部、６…着磁専用コイル、７…スペーサ、８…ガイド治具。
【図１】
2005318699.tif 000003
【図２】
2005318699.tif 000004
【図３】
2005318699.tif 000005
【図４】
2005318699.tif 000006
【図５】
2005318699.tif 000007
(57)【要約】（課題）病人が糖尿病による血糖を降下させるため、日々のインシュリン注入のわずらわしさをなくすのが目的である（解決手段）混合した食品を食べる事により、インシュリンの注入量がすこしづつ少なくなりインシュリン注入のわずらわしさを軽減した飲むインシュリンである【特許請求の範囲】
【請求項１】
材料  菊芋、カイアポ芋、ココア、豆乳（きなこ）を混合した健康飲料水
【発明の詳細な説明】
【技術分野】
【０００１】  この発明は、混合した食品を食べる事により、インシュリンより効き目は弱いが、確実に血糖を下げてくれる飲むインシュリンである。
【背景技術】
【０００２】  従来の血糖降下はインシュリン注入によるものだった。
【発明の開示】
【発明が解決しようとする課題】
【０００３】  本発明は、糖尿病による血糖を降下させるために一生、インシュリン注入が必要不可欠の為、病人のもつ負担が大きなものだった。
【課題を解決するための手段】
【０００４】  混合した食品を食べる事により、インシュリンを作る手助けをする働きがある事を知る。その食品はどのようなのが理想かを実験し、理論づけした結果４種の材料をＭＩＸし、アルカリ電子イオン水に混合したものが、血糖降下に最上であることを発見した
【発明の効果】
【０００５】  本発明を使用することによって現在テスト（試験飲用）中ではあるがインシュリンの注入量がすこしづつではあるが少なくなり始めた。（テスト測定結果資料参照）なお、副作用としては、分量を多くしてしまうと頭痛あり。
【材料の簡単な説明】
【０００６】              菊芋                    ２ｇ              カイアポ芋              ２ｇ              ココア                  １ｇ              豆乳またはきなこ        １ｇ              アルカリ電子イオン水    １００ｃｃ2005318881.tif 000002
（作り方）１  菊芋              ２ｇ    （成分）イヌリン          ２  カイアポ芋        ２ｇ            ビタミンＫ１          ３  ココア            １ｇ            ポリフェノール          ４  豆乳またはきなこ  １ｇ            レシチン            混合して（６ｇ）２飲分が出来あがり。（服用）  毎朝夜  食前にアルカリ電子イオン水１００ｃｃに混ぜて飲用。お茶、ジュース等に溶かしても良い。
(57)【要約】【課題】ペットとして飼われている、犬の脱糞処理を、行なう時、簡単容易に出来て、歩行者道路や公園等の清潔保持に役立つ開閉式、犬のフン取り棒を提供する。【解決手段】主棒（１）に、スライデイング溝（５）を設け、横棒（２）と補強材（３）を、組み合せて、スーパーのビニール袋（７）を、利用して脱糞処理が地面等を汚さず清潔簡単に出来ることを特徴とする。【選択図】図１
2005318883.tif 000002
【特許請求の範囲】
【請求項１】
主棒（１）の先方に、横棒（２）２本と補強材（３）を、各々ネジ止メ（３）し、又、主棒（１）に溝を設け、スライデング式とする。
使用時には、（横棒）（２）を主棒（１）と、各々９０°に開き、スーパー等のビニール買物袋（７）の手通し部を掛けフックネジの上部に（４）掛けて犬の脱糞下方位置に備えて受け取る。
脱糞終了後は、ビニール袋（７）を、取り外し、護美箱等へ捨てる。
【発明の詳細な説明】
【発明の詳細な説明】
【技術分野】
【０００１】この発明は、ペットとして飼われている、犬の脱糞処理を、簡単容易にし、歩行者道路の、清潔及び美観を保つ為開閉式棒とビニール袋の併用に関するものである。
【背景技術】
【０００２】従来は、十能、片手小型スコップ又は直接、新聞紙等を用いて処理されていた。
【発明が解決しようと課題】
【０００３】これは、次のような欠点があった。
（イ）犬の脱糞後、十能、小型スコップ等で取ると、地面に糞が残る。
（ロ）脱糞時前、犬はぐるぐると体の向きを変え、新聞紙、ビニール等を敷くには、手間がかかり、又年配者は体をかがめる等は面倒と感じ、脱糞処理が放置される事が多い。
（ハ）上記、脱糞処理は、現在、各自治体でも、犬の飼主に呼びかけ、徳島県内では、町の条例により、処理放置を禁止している。
本発明は、これらの欠点を除くために、なされたものである。
【課題を解決するための手段】
【０００４】主棒（１）に、横棒（２）２本をフックネジ（４）止メし、各々に補強材（３）を接続し、又、主棒側に溝を通して、スライデイング開閉式とした。
本発明は、以上のような、構成よりなる犬のフン取り棒である。
【発明を実施するための最良の形態】
【０００５】以下、本発明の実施の形態について説明する。
主棒（１）の先方に、横棒（２）を、２本各々間隔を開けて、ネジ止メし、各々の横棒（２）に、補強材（３）を接続する。
補強材（３）の、主棒（１）接続部に溝（５）を設け、スライデイング開閉式とする。
横棒（２）２本にフックネジ各２本を設ける。
本発明は、以上のような構造で、これを使用する時は横棒（２）２本を主棒（１）と、各々直角（９０°）になる様に開き、横棒（２）に、設けられている掛けフックネジに、スーパー等の買物袋（ビニール）（７）の手通し部を掛けて犬の脱糞下方位置にて、糞を受け取る。
終了後、ビニール袋（７）を、横棒（２）のフックより外し、護美箱又は護美袋へ簡単に捨てる事ができ、又、清潔を保つ事が容易にできる。
【発明の効果】
【０００６】犬の散歩時、本発明品と、スーパーの買物袋（ビニール）を、携帯し犬の脱糞時には、場所を問わず、どこでも、簡単に、本発明品の横棒（２）を開き、ビニール袋（７）をフックに掛け、犬の脱糞下方位置へ片手にて備え、脱糞を受け取り処理する。
この動作は、飼犬のヒモを持ったまま、脱糞処理する事が誰にでも、容易にできる。
又、歩行者道路、公園の清潔保持にも、役立つものである。
【図面の簡単な説明】
【図１】本発明の斜視図である。
【図２】本発明の平面図である。
【符号の説明】
１．主棒
２．横棒
３．補強材
４．掛けフックネジ（ナット付）
５．スライデイング溝
６．ネジ（ナット付）
７．スーパー等の買物ビニール袋
【図１】
2005318883.tif 000003
【図２】
2005318883.tif 000004
(57)【要約】【課題】    手作り感があり、濃厚な深みのある風味を有するステーキやハンバーグ等に適した肉用調味料を広く提供する。【解決手段】原料として少なくとも野菜類（ニンニク、ショウガ、長ねぎ、玉ねぎ等）を５〜１５重量％、サラダ油、ごま油等の食用油を２〜６重量％、カラメルを０．５〜２重量％使用し、これらを混合加熱することにより、手作り感があり、濃厚な深みのある風味を有するステーキやハンバーグ等に適した肉用調味料を得る。【特許請求の範囲】
【請求項１】
原料として少なくとも野菜類を５〜１５重量％、食用油を２〜６重量％、カラメルを０．５〜２重量％使用し、これらを混合加熱して成る肉用調味料  
【発明の詳細な説明】
【技術分野】
【０００１】
本発明は肉用調味料に関するものであり、特に手作り風の、実際に鍋やフライパンで炒めた時に生ずる香ばしい風味とまろやかで濃厚な風味を有する肉用調味料に関する。
【背景技術】
【０００２】
ステーキやハンバーグ等の肉料理には、ステーキソース、ハンバーグソース等の肉用調味料が必須であり、レストラン等では用途に応じてその都度手間暇かけて調製している。他方、工業的に生産された肉用調味料も多数市販されているが、これらは一般的に各種調味原料を混合、加熱して製造されており、商品の特徴は原料配合に負うところが大きいということができる。
【発明の開示】
【発明が解決しようとする課題】
【０００３】
上記のような市販の肉用調味料は、レストラン等のそれに比べると、総じて手作り感に欠け、鍋で煮たような単調な味になってしまう。
このためメーカー各社ともより手作り感があり、濃厚な風味を有する肉用調味料の開発に工夫を凝らしているところである。
以上のような状況から、本発明は鍋やフライパンで炒めた時に生ずる香ばしく手作り感があり、濃厚な風味を有する肉用調味料を工業的に簡単に製造し、広く提供することを目的としてなされたものである。
【課題を解決するための手段】
【０００４】
レストラン等で調製される肉用調味料は、原料となる野菜類を十分に炒めたものを使用しており、これが調味料に手作り感を賦与し、またまろやかな深みのある風味を賦与するものであると考えられる。しかしながら、調味料の工業的な製造工程に野菜を炒めるという工程を組み入れることは非常に困難である。
【０００５】
本発明者等は、原料配合を工夫することにより、目的とする肉用調味料を製造できないかどうかについて検討した結果、野菜類、カラメル、食用油を一定割合で配合することにより、上記課題を解決できるという知見を得て本発明を完成するに至った。
すなわち、本発明は、原料として少なくとも野菜類を５〜１５重量％、食用油を２〜６重量％、カラメルを０．５〜２重量％使用し、これらを混合加熱して成る肉用調味料である。
以下、本発明を詳細に説明する。
【発明の効果】
【０００６】
本発明によれば、鍋やフライパンで炒めた時に生ずる香ばしく手作り感があり、濃厚な深みのある風味を有する肉用調味料を広く提供することができる。
【発明を実施するための最良の形態】
【０００７】
本発明の肉用調味料に使用される原料は、肉用調味料の原料として一般的に使用される原料と特に変るところはなく、例えば各種醤油、各種糖類、風味素材（シイタケエキス、酵母エキス、煮干しエキス等）、サラダ油、ごま油等の食用油、ニンニク、ショウガ、長ねぎ、玉ねぎ等の野菜類、コショウ、唐辛子等の香辛料等であり、これらを適宜混合、加熱して製造される。
【０００８】
この際に、野菜類を５〜１５重量％、食用油を２〜６重量％、カラメルを０．５〜２重量％含有させるところに本発明の特徴がある。
これら３種の原料を必須とし、これに各種醤油、糖類、風味原料、香辛料等を混合溶解し、８０〜９０℃で加熱することにより、手作り感があり、濃厚な深みのある風味を有する肉用調味料が得られる。
以下に実施例を示して本発明をさらに具体的に説明するが、本発明はこれらの例に限定されるものではない。
【実施例１】
【０００９】
以下の原料を以下の割合（ｋｇ）で混合し、これを８５℃達温で加熱、溶解し容器に充填してステーキソースを得た。
濃口醤油                     ３５０ 
アミノ酸液                     ５０
異性化糖                     １４０
みりん                         ７０
食酢                           １５
シイタケエキス                   ６
酵母エキス                       ６
冷凍ニンニクペースト           １０
オニオンパウダー                 ６
冷凍ジンジャーミンチ             ５
冷凍長ねぎミジン切り           ５０
サラダ油                       ４０
カラメル                       １０
水                           ２５２
計                         １０００
(57)【要約】【目的】  この発明は、動物の散歩時に動物が興奮して他者に跳び付いたり、飼い主が意図しない場所に動物が行こうとする行動を容易に抑制すること目的とする。【構成】  散歩紐の動物に近い側に、図２の様に、手を添えることが出来る、環、もしくは取っ手を追加することを特徴とする。【選択図】  図２
2005318877.tif 000002
【特許請求の範囲】
【請求項１】
愛玩動物の散歩紐おいて、手を添えるための環、もしくは取っ手が複数あることを特徴とする。
【請求項２】
複数ある環は、ひとつは紐の端部で人間の手元側にあり、もうひとつは紐の動物側にあることを特徴とする。
【発明の詳細な説明】
【発明の詳細な説明】
【産業上の利用分野】
【０００１】愛玩動物の散歩を安全にかつ、他者に迷惑をかけずにおこなうことを実現する。
【背景技術】
【０００２】一般に散歩紐は一端に動物と紐をつなぐための金具が、そしてもう一端には人間が手を添えるための環もしくは取っ手がついた形態になっている。また、取っ手側には紐のたるみを取るための巻き取り機構が付与されたものもある。
【発明が解決しようとする課題点】
【０００３】愛玩動物の散歩時には、動物が興奮して飼い主が意図しない方向に前に飛び出そうとする場合がある。飼い主は散歩紐を引いてそれを抑制する。しかし、紐の長さの範囲内では動物は自由に動ける。抑制がそれでは不十分な場合には、紐を手繰り寄せて、紐を短く持つようにするケースがある。しかし、持っている紐の位置には手掛かりが無いため、滑りやすく、動物の引っ張る力に負けて紐が出て行ってしまい、結果として、他人に跳び付いたりして、衣服を汚したり、怪我を負わせたり、或いは恐怖心を覚えさせたりする問題があった。
【課題を解決するための手段】
【０００４】散歩紐の一端には人間が手を添えるための環もしくは取っ手がついた形態になっているが、これに加えて、動物に近い側にも環、もしくは取っ手を取り付ける。
【作用】
【０００５】動物の行動を強く抑制したい場合には、この追加された環の部分をつかむことにより、たとえ動物が強く前に出ようとしても、紐が掌中から滑って出て行くことなしに、動物の行動可能範囲を狭めることが出来る。
【実施例】
【０００６】図１，２をもとに実施例を説明する。
従来の散歩紐は図１の様に、１を動物につなぎ、３の環の部分を手で持つ形状となっているが、本発明に於いては、図２−１の５のように動物側にも環もしくは取っ手が追加されていて、その位置でも紐を保持することが容易な形状となっている。
【発明の効果】
【０００７】通常は図２−１の様に紐の端部３の位置に手を添えて散歩する。仮に動物が興奮し、飼い主の意思に反して違う方向に行こうとしたり、何等かの物に跳び付こうとした場合には、図２−２のように動物に近い側の環５をつかむことにより、紐が掌中から滑って出て行くことなしに、動物の行動を抑制することが出来る。
【図面の簡単な説明】
【図１】  従来の散歩紐の使用例
【図２】  本発明の散歩紐の使用例  図２−１は通常の散歩の状態  図２−２は動物の行動を抑制している状態
【符号の説明】
１は動物と紐をつなぐ、金具部分
２は従来の散歩紐の本体
３は散歩紐の端部の環
４は本発明の散歩紐の本体
５は散歩紐の動物側の位置に追加された環
【図１】
2005318877.tif 000003
【図２】
2005318877.tif 000004
(57)【要約】【課題】水中に酸素を取り込む容器を提供する。【解決手段】水中に容器を逆さにして、大気等を蓄え酸素を水中に多く、取り込ませる事を特徴とした容器。【選択図】  図１
2005318875.tif 000002
【特許請求の範囲】
【請求項１】
変形しない容器を逆さにして水槽の中に固定する、その容器に大気を蓄え、容器の中の大気表面積下面と、水面の接触面から酸素を水中に取り込ませる、又通気、通水穴を設け余分な大気を穴を通じて外部に排出するか、排出しながら上部の容器に蓄える、排出後は水の通路となることを特徴とした容器。
【発明の詳細な説明】
【技術分野】
【０００１】  本発明は魚介類の生存には水中の酸素が不可欠である、酸素を水中に取り込むためには水面と大気の接触面に比例する事柄に関するものである。
【背景技術】
【０００２】  水中に酸素を取り込むには水槽水面の、大気接触面から自然の取り込みに加え、以下の方法がある。
（イ）酸素を含んだ水の補給。
（ロ）回転装置による水の拡散。
（ハ）空気圧縮機等を用い水中への放出。
（ニ）水を高所に上げ下降中の取り込み、急落下の衝撃。
（ホ）水草による光合成の利用。
以上等の事柄があげられる、又酸素だけを使用する。
【発明の開示】
【発明が解決しようとする課題】
【０００３】そのために、次のような問題点があった。
（イ）自然取り込みには容器の接触面だけである。
（ロ）水補給では大量の水が必要であり、不純物が心配される。
（ハ）装置等によるものは電気等の消費、騒音の発生、電気災害がある。
（ニ）水草等では大量が必要で水槽では内部が見えずらい。
（ホ）酸素では一時的に使用、袋状内のものでは開封後飛散する。
【課題を解決するための手段】
【０００４】  変形しない容器（２）を逆さにして水槽（４）の中に固定する、その容器に大気（３）を蓄える、蓄えた容器の中の下面、大気表面積分と、水面の接触面から酸素を水中に取り込ませる、又通気、通水穴（６）を設け余分な大気を穴を通じて外部へ排出するか、排出しながら上部の容器へ蓄える、排出後は水の通路となり、酸素を含んだ水の移動が容易になる事を特徴とする酸素取り込み容器である。
【発明の効果】
【０００５】この発明は次のような効果がある。
（イ）容器の大気表面積分だけ、多くの魚介類の生存が出来た。
（ロ）電力等の使用は一時的で無駄な消費、騒音又災害がなくなった。
（ハ）通気、通水穴から排出される大気で内容量が確認出来るため、無駄がない、又水の通路になるため酸素を含んだ水の流れに効果がある。
（ニ）容器の大気表面積、１とした時、同表面積の酸素だけだと、約５倍の取り込みが出来る。
【発明を実施するための最良の形態】
【０００６】以下、本発明の形態に付いて説明するが、方法として２通りある。
（イ）水槽（４）に水（１）を入れない状態で、容器（２）を固定具（５）で固定した後、水槽（４）に水（１）を注水する、容器（２）上面以上に水（１）を注水すれば容器（２）内には規定量の大気（３）が蓄えられている。
（ロ）水（１）を入れた水槽（４）に固定具（５）で、容器（２）を固定する、補給管（７）より大気を送り込み、容器（２）の通気、通水穴（６）から大気が排出されれば、容器（２）内には規定量の大気（３）が蓄えられている。
本発明は以上の構成であるが、容器としては以下のようである。
（イ）容器の材質は変形しなく、無害であればなんでも良い。
（ロ）形状は効率、美観等に合った、どんな形状でも良い。
（ハ）容器の通気、通水穴は、容器外周高さより低いこと。（図３）
本発明は以上の構成でこれを使用するときは、
【発明を実施するための最良の形態】
【実施例１】大気の表面積を多くするため、容器の段数を増やすと良い。（図４）
【実施例２】容器の大小に合わせ通気、通水穴（６）数を増減する。（図２）
【実施例３】美観をよくするため、容器外面を岩状、竜宮等の形にすると良い。（図５）
以上が酸素取り込み容器の特徴である。
【図面の簡単な説明】
【０００７】
【図１】本発明の縦断面図
【図２】本発明の容器の平面図（図１の下から見た）
【図３】本発明の容器の縦断面図
【図４】本発明の他の実施例を示す縦断面図
【図５】本発明の他の実施例を示す縦断面図
【符号の説明】
【０００８】        １  水                    ５  固定具
２  容器                  ６  通気、通水穴
３  大気                  ７  補給管
４  水槽                  ８  固定穴
【図１】
2005318875.tif 000003
【図２】
2005318875.tif 000004
【図３】
2005318875.tif 000005
【図４】
2005318875.tif 000006
【図５】
2005318875.tif 000007
(57)【要約】【目的】  この発明は、水棲動物を飼育する水槽の水交換を行うときに、槽の底部のごみや砂を攪拌して舞い上げることなしに、効率的、かつ容易に汚れた水を交換することを目的とする。【構成】  排水時に使用する槽底部に設けた排水口と注水時に槽上部に設置して使用するスリット付きのすのこで構成される。【選択図】  図１
2005318876.tif 000002
【特許請求の範囲】
【請求項１】
水槽に排水口が設けられていることを特徴とする。
【請求項２】
水槽の上側には水交換の時にすのこを渡すことが出来る構造になっていることを特徴とする。
【請求項３】
水交換の時に水槽の上側に設置するスリット付きのすのこ。
【発明の詳細な説明】
【発明の詳細な説明】
【産業上の利用分野】
【０００１】水棲生物の飼育に使用する水槽に於いて、周期的に実施される水交換を容易に効率よく実施するための水槽の構造を提供することを目的とする。
【背景技術】
【０００２】従来の魚類観賞用の水槽は、水交換の時は魚を別の水槽に待避させた後、小型の水槽の場合は持ち上げて水を排出する方法をとったり、大型で重量が有るため持ち上げられないものはポンプ、柄杓等の器具を使用して汲み上げていた。
【発明が解決しようとする課題点】
【０００３】水槽中の汚れは水槽の底部に沈澱するが、ポンプ、柄杓等の器具を使用して汲み上げる方式では水槽の上澄み部分が汲み出される傾向が強く、底部に沈殿している汚れの除去という観点からはその有効性に問題が有った。
また、水を汲み上げたり、新たな水を注ぎ入れる作業中に、水が攪拌されて底部にあった汚れが水槽全体に拡散したり、底に敷いてある砂等が動いてしまい、水草の根が浮いてしまったりするという問題点があった。
【課題を解決するための手段】
【０００４】水槽底部に図１−１や１−２のように排水口（ドレーン）を取り付ける。
また、新しい水を注ぎ入れるときには、水槽上部に一時的に図１−３のようにスリット３が配置された部分と開口していない部分４を有する“すのこ”を図１−４の様に設置できる構造となっている。
【作用】
【０００５】水槽の水を排出する場合には図１−１，１−２に示した排水口１，２から排水することで、底部に沈殿した汚れが槽内で攪拌されることなく、優先的にかつ静かに排出される。
また、新しい水を注ぎ入れる時には図１−３で示した“すのこ”を水槽に図１−４の様に設置し、すのこの開口していない部分４めがけて水を注ぎこむと、すのこの作用で水は図１−５の様に均等に分散して水槽全体に穏やかに注がれ、むやみに槽内が攪拌されることを防止できる。
【実施例】
【０００６】図１をもとに本水槽での水交換の実施例を説明する。
古くなった水は、図１−１，１−２に示した排水口１，２から排出される。
この排水口の形状は、１の様に水道の蛇口の形状で任意に開閉できるようになっていたり、２の様に柔軟性を持った排水管で通常上方向に固定してあるこの管を下方向に倒すことにより、水を排出したり出来る構造になっている。
また、新しい水を注ぎ入れようとする場合は、図１−３に示したすのこを水槽の上部に図１−４のように配置して、その上からスリットが切られていない部分４めがけて注水する。そうすると水は、図１−５の６に示した様に、すのこの作用で、分散し、７のように静かに水槽に流れ落ちる事となる。この流れ落ち方を適正にするために、すのこのスリットの形状、配置は最も適切な状態に調整されていることは言うまでもない。
【発明の効果】
【０００７】排水時には水は排水口から静かに排出されるため、底部の水が優先的に排出され、なおかつ、槽内の水が攪拌されて底部のごみや底に敷いてある砂等が槽中に舞い上がることが防止できる。
注水時には、すのこの効果で、槽内に水が均等に、かつ穏やかに注がれるため、この場合にも底部のごみや底に敷いてある砂等が槽中に舞い上がることが防止できる。
【図面の簡単な説明】
【図１】本発明における水槽の概念図  図１−１は排水口としての蛇口を取り付けたところ  図１−２は排水口としての柔軟性を持った排水管を取り付けたところ  図１−３は注水時に槽上部に設置するすのこ  図１−４はすのこを槽上部に設置したところ  図１−５は注水時の水の動きを槽の断面から見たところ
【符号の説明】
１は蛇口形状をした排水口
２は柔軟性を持った排水管を倒して排水するところ
３はすのこに開けられたスリット状の穴
４はスリットが存在しない領域
５はすのこを水槽にセットした状態
６はすのこのスリットがない部分に注水された水が外に広がっているところ
７はスリットから槽内に細い流れとなって水が落下するところ
【図１】
2005318876.tif 000003
(57)【要約】【課題】本発明は、ペットの糞を収納する袋を足に固定するバッグである。通常は糞を始末した袋を片手に持ち、もう一方の手でペットのひもを引くため、両手がふさがって不自由になり、特に、雨天時に傘を使用するとペットの散歩が大変になるので、これらの問題を解消しペットの散歩が楽になるバッグを提供する。【手段】バッグの上部に腰に巻くベルト（１）を付け、下部には足に巻くベルト（２）を付ける。側面には網目状又は複数の穴を開けた通気部（３）を設ける。開閉部は上部（４）または上段部（１０）・下段部（１１）に設ける。【選択図】  図１
2005318879.tif 000002
【特許請求の範囲】
【請求項１】
バッグの上部に腰に巻くベルト（１）を、下部には足に巻くベルト（２）を付けて足に固定できるようにし、バッグの側面（３）には空気が良く通るように、網目状又は複数の穴を開けたペットの糞と小物を収めるバッグ。
【請求項２】
バッグの収納部を上段部と下段部に分け、糞と小物を別々に収められるようにした請求項１のバッグ。
【発明の詳細な説明】
【発明の詳細な説明】
【技術分野】
【０００１】  本発明は、特に犬を散歩させたときに生ずる犬の糞を、足に固定したバッグに収納して持ち運べ、袋類を手に持たずに散歩できることに関するものである。
【背景技術】
【０００２】  今までは、始末した犬の糞は、ビニル袋又は手提げバッグに入れて持ち運ぶため常に片手がふさがり、特に雨天時には糞を取るのが面倒であった。
【発明が解決しようとする課題】
【０００３】  ペットの糞の始末、特に犬の糞の始末については、次のような問題があった。
飼い主は犬の糞を始末した後、ビニル袋や手提げバッグに糞を入れて持ち歩いているが、飼い主のもう一方の片手は犬のひもを引いているので、両手がふさがってしまい不便である。特に雨天の日に傘を使用すると手への負担が増え、糞を取るのに苦労する。また、交通量の多い道路や狭い道路では、老人には危険なときもある。
さらに、道路や道路沿いに不始末のまま残された糞は、近隣の人々や通行人に不快感を与え、町を不潔にし、かつ町の美観を損なう。
本発明は、以上の問題点を解決し、特に犬の飼い主の散歩を楽にして、さらに犬の散歩時のマナーを向上させる効果も期待できるものである。
【課題を解決させる手段】
【０００４】  バッグの上部に腰に巻くベルト（１）を、下部には足に巻くベルト（２）を取り付ける。バッグの側面部は、糞の臭気を逃すため、通気性に優れた網目状又は複数の穴を開けた状態（３）にする。
本発明は、以上の構成よりなるペットの糞と小物を収めるバッグである。
【発明を実施するための最良の形態】
【０００５】  以下、本発明の実施の形態を説明する。
（イ）バッグの上部に腰に巻くベルト（１）を取り付ける。
（ロ）バッグの下部に足に巻くベルト（２）を取り付ける。
（ハ）バッグの側面部は通気を良くするために、その一部を網目状にするか又は複数の穴を開ける（３）。
（ニ）開閉部はバッグの上部（４）又は前部（５）に設ける。
本発明は以上の構成よりなる。
尚、本発明の素材は合成繊維類・プラスティック類・皮革等加工可能なものであれば何でもよい。ただし、素材が柔らかい場合には、バッグの内部に〔図３〕のような枠型を入れて補強する。
【発明の効果】
【０００６】  本発明を使用することによりペットの散歩時に両手が空き、糞の始末をしやすくするとともに、ペットと散歩することが楽しくなり、ペット飼育上のマナーが身に付く。
【図面の簡単な説明】
【図１】  本発明の斜視図
【図２】  本発明の他の実施例の斜視図
【図３】  本発明を補強する枠の図
【図４】  本発明の使用状態を示す斜視図
【符号の説明】
（１）腰に付けるベルト
（２）足に付けるベルト
（３）通気部
（４）上部
（５）前部
（６）小ポケット
（７）名札・写真入れ
（８）上段部
（９）下段部
（１０）上段開閉部
（１１）下段開閉部
【図１】
2005318879.tif 000003
【図２】
2005318879.tif 000004
【図３】
2005318879.tif 000005
【図４】
2005318879.tif 000006
(57)【要約】【課題】  この発明はカスピ海ヨーグルトの種菌を常温で長期保存する為のものである。【解決手段】  真空凍結乾燥させ、ビニール等の袋入れることにより常温で保存できる。【特許請求の範囲】
【請求項１】
カスピ海ヨーグルトの種菌を真空凍結乾燥させ密封の袋に入れたもの
【請求項２】
カスピ海ヨーグルトの種菌を真空凍結乾燥させ密封の効く容器に入れたもの。
【請求項３】
カスピ海ヨーグルトの種菌を真空凍結乾燥させ真空包装したもの。
【請求項４】
カスピ海ヨーグルトの種菌を真空凍結乾燥させ真空容器に入れたもの。
【請求項５】
請求項１ないし４の袋、容器に紫外線を通さない材質を用いたもの。
【発明の詳細な説明】
【発明の詳細な説明】
【技術分野】
【０００１】この発明は、家庭内でヨーグルトを発酵させる種菌に関するものである。
【背景技術】
【０００２】  従来は家庭内でカスピ海ヨーグルトを発酵させるとき、出来たヨーグルトを牛乳に混ぜることにより発酵が始まる。  温度で時間が異なるが、３時間ないし３０時間で固まりヨーグルトとなる。  このとき、出来たヨーグルトを種菌として再び用いていた。
【発明が解決しようとする課題】
【０００３】  従来の方法では、種菌を保存するのに冷蔵が必要である。  また長期間の保存は無理であり、他の場所に移動するのも、コストがかかる。  冷凍すれば長期保存も可能であるが、やはりほかの場所に移動するのにコストがかかる。
【課題を解決するための手段】
【０００４】  生の種菌を真空凍結乾燥して保存する。
【発明を実施するための最良の形態】
【０００５】  真空凍結乾燥の種菌をビニール等のパッケージに包装することにより、吸湿を防ぎ、長期の保存が可能となる。請求項３のように更に、真空包装すれば酸化を防ぎ、より保存期間がのびる。請求項６のように紫外線を通さない、アルミラミネートした材質、金属容器にすれば紫外線による変質がなくなり更に保存期間がのびる。
【発明の効果】
【０００６】  種菌として長期保存がきき、輸送コストも低く済む
(57)【要約】【課題】  従来の食害防止具が摂食しようとする草食性動物に対して痛みを与える機能を有していないため、繰り返しの摂食行動を防ぐことができなかったことに鑑みてなしたものであり、苗木を摂食しようとする草食性動物に痛みを与えることにより、学習効果により二度と摂食行動を起こさせないようにした食害防止具を提供することを課題とする。【解決手段】  本発明の食害防止具は、植栽した苗木の幹・枝に取着可能な断面略Ω状にした取着部と把持部と、少なくとも把持部の一部に設けた針状突起とを備えて成る。【選択図】  図１
2005318814.tif 000002
【特許請求の範囲】
【請求項１】
植栽した苗木の幹・枝に取着可能にした取着部と針状突起とを備えて成ることを特徴とする造林苗木用食害防止具。
【発明の詳細な説明】
【技術分野】
【０００１】
本発明は、造林地に植えた針葉樹（ヒノキ・スギ・カラマツ・アカマツ等）や広葉樹（ブナ・ミズナラ・ケヤキ等）の苗木が、主として草食性動物（ノウサギ・ノネズミ・ニホンシカ・カモシカ等）による摂食被害（以下、単に食害という）にあうのを防止するのに用いる造林苗木用食害防止具に関する。
【背景技術】
【０００２】
従来、この種の食害防止具として、苗木全体をプラスチック板で包囲可能な角筒体に構成したもの（例えば、特許文献１）や、苗木の主に幹を不織布で包囲可能な略筒状体に構成したものがある（例えば、特許文献２）。
【特許文献１】特開平１０−３２７６８５号公報
【特許文献２】特開２０００−３００１４７号公報
【発明の開示】
【発明が解決しようとする課題】
【０００３】
これらの食害防止具は、一定の食害防止効果をあげている。しかし、摂食しようとする草食性動物に対して痛みを与える機能を有していないため、繰り返しの摂食行動を防ぐことができなかった。
【０００４】
そこで、本発明は、苗木を摂食しようとする草食性動物に痛みを与えることにより、学習効果により二度と摂食行動を起こさせないようにした食害防止具を提供することを課題とする。
【課題を解決するための手段】
【０００５】
本発明の食害防止具は、植栽した苗木の幹・枝に取着可能にした取着部と針状突起とを備えて成ることを特徴とする（請求項１）。
【０００６】
本発明において、幹・枝に取着可能とは、枝・幹に取付け可能にすることを意味し、具体的には、断面略Ω状の形状にするか又はばねにより開閉自在にした略洗濯挟み状の形状にする手段によって達成することができる。
【発明の効果】
【０００７】
本発明の食害防止具は、草食性動物が幹や枝を摂食しようとすると、針状突起が皮膚を突き刺して痛みを与えることができる。よって、草食性動物に摂食行動を断念させるともに、学習効果により苗木に二度と接近しなくなり食害を防止することができる。
【発明を実施するための最良の形態】
【０００８】
以下、本発明の実施の形態を図面に基づいて詳細に説明する。
【０００９】
図１に示す食害防止具Ａは、取着部１と把持部２とを断面略Ω状に形成し、かつ少なくとも把持部２の一部に４本の針状突起３を設けて成る。
【００１０】
上記取着部１は、取り付ける苗木の幹や枝の径に適合する内径を有するように形成する。また、把持部２は、把持して幹や枝にスムースに差し込み得るガイドとなるように略ハの字状に取着部１の開口部分に一体に連設して成る。
【００１１】
この食害防止具Ａは、図２に示すように、細胞分裂の最も盛んな成長点の保護が苗木の成長にとって重要であるから、植栽した苗木Ｔの幹・枝の成長点近傍に取り付ける。
【００１２】
この場合、食害防止具Ａは、苗木の品種によっても異なるが、一般に枝・幹の成長点近傍に、１０〜２０ｃｍ間隔をおいて取り付けると効果的である。というのは、間隔が広すぎると食害を受け易くなり、間隔が狭いと取付数が増加して、全体重量が大きくなって苗木に対する負担が大きくなるからである。
【００１３】
また、食害防止具Ａの重量としては、苗木の成長点近傍の幹・枝の直径が１〜３ｍｍ前後であることを考慮すると、１個当たり３ｇ以下が好ましい。というのは、３ｇを越えると、風雨による振動の影響も重なって、幹・枝に傾きや変形が生ずるからである。
【００１４】
食害防止具の材質としては、プラスチック・金属・木材・セラミック・ガラス・パルプ等の素材、あるいはこれらの複合体を用いることができる。また、これらの素材から削りだした成形体、各種素材のチップ・粉体・短繊維を用いた射出成形・プレス成形でも製造することができる。食害防止具の取着部１と針状突起２とは一体成形のものが好ましいが、別々に成形して固着したものでもよい。
【００１５】
これらの素材は、食害防止具が使用上風雨に曝される点を考慮すると、少なくとも表面が疎水性を有するものが好ましい。また、苗木の成長にとって重要な成長点を保護するには、最も大型の食害をもたらす動物であるニホンシカの到達高さが１．８ｍ前後なので、苗木の品種によって異なるが、成長スピードに対応して５年以上の耐候性を有するものが好ましい。
【００１６】
さらに、成長点が２ｍ以上に成長して、食害の心配がなくなった時点で、耐候性が消失して崩壊落下した後、地中で分解消失する点を考慮すると、生分解性プラスチック成形品が特に好ましい。
【００１７】
食害防止具の形状としては、断面略Ω状に代えて、ばねにより開閉自在にした略洗濯挟み状にして、これに針状突起（例えば、金属針等）を固着した構成にすることも可能である。またテープ状の取着部に針状物を固着した構成にすることも可能である。
【実施例】
【００１８】
生分解性プラスチックの脂肪酸共重合ポリエステル（商品名：ビオノーレ＃１０００昭和高分子株式会社製）のペレットを使用して金型で断面が略Ω状に成形した。そして、取着部（巾１５ｍｍ×厚み２ｍｍ×内径６ｍｍ）に連設した把持部の上端及び下端に、先端が針状である４本の針状突起（長さ１５ｍｍ×直径２ｍｍ）を有する食害防止具を一体に形成した。各針状突起は、把持部の中心線に対して上下方向に角度６０度をもって斜め方向に突出させた。
【００１９】
この実施例による食害防止具は、樹高１〜２ｍのスギ苗木の成長点近傍の直径６〜８ｍｍの幹と枝に簡単に装着することができた。
【図面の簡単な説明】
【００２０】
【図１】本発明の食害防止具の斜視図である。
【図２】本発明の食害防止具の使用状態を示す説明図である。
【符号の説明】
【００２１】
Ａ    食害防止具
Ｔ    苗木
１    取着部
２    把持部
３    針状突起
【図１】
2005318814.tif 000003
【図２】
2005318814.tif 000004
(57)【要約】【課題】  従来の包丁置きは、包丁の刃に触れる部分が大きいという問題があった。これは調理中、食材を切った包丁を置くと包丁に付着した食材が包丁置きに付着するということ、また、刃自体を傷つける場合もある。【解決手段】  刃のはらが触れる支えを半球体にして、接触箇所を小さくする。また、刃先があたる溝を柔らかい素材にすることで、刃を傷つけず使用できる。【選択図】  図１
2005318984.tif 000002
【特許請求の範囲】
【請求項１】
半球体のもので、包丁の刃のはらの一点を支える包丁置き。
【請求項２】
立てた包丁を安定させるために、溝を設けた包丁置き。
【請求項３】
包丁の刃があたる溝を柔らかい素材にした、包丁置き。
【発明の詳細な説明】
【技術分野】
【０００１】
本発明は、調理作業中における包丁置きに関する。
【背景技術】
【０００２】
従来、調理作業中の包丁は、まな板の上やキッチン周辺におもむろに置かれていた。
【０００３】
また従来の包丁置きには、刃のはらの両面又は片面全体を支えるものもある。（例えば特許文献１、２参照。）
【特許文献１】特開２００３−３３９５５９号公報
【特許文献２】実開平０６−４６６４８号公報
【発明の開示】
【発明が解決しようとする課題】
【０００４】
以上に述べた従来の包丁置きでは、刃に触れる部分が大きく、調理中の包丁に付着した食材が包丁置きに付着することがある。そのたびに包丁置きまで洗っていては、作業効率が悪く使用しにくい。
【０００５】
また包丁置きを使用しない場合、包丁はまな板やキッチン周辺におもむろに置かれて手など体が刃に触れたり足元に落ちることがあり危険だった。
【課題を解決するための手段】
【０００６】
本発明は上記課題を解決するために、包丁のはらを受け止める部位を半球体にして極力触れる部分を小さくした包丁置きである。
【０００７】
また刃先の触れる部位は、柔らかい素材を使い、刃を痛めないようになっている。
【０００８】
台座裏に磁石を設け、キッチン台に固定できる。
【発明の効果】
【０００９】
上述したように本発明の包丁置きは、包丁のはらの触れる部分を極力小さくしたことで、調理中の包丁を置いたとしても包丁に付着した食材が包丁置きに付着しにくくなっている。
【００１０】
またキッチン台にはステンレス素材が多く、本発明の包丁置きは、台座裏に磁石を設けたことで固定でき、誤って包丁に触れても落ちたりしにくい。
【発明を実施するための最良の形態】
【００１１】
以下、本発明の実施の形態を図１〜図３に基づいて説明する。
【００１２】
図において、支え１は1ａ、1ｂと分かれており、包丁の原を挟むように設置されている。
【００１３】
また溝３は、刃を受け止めるように斜めにへこませてある。
【００１４】
台座２の裏には、磁石を設けてある。
【図面の簡単な説明】
【００１５】
【図１】本発明の包丁置きの全体の斜視図
【図２】後面からの平面図
【図３】台座裏面の平面図
【図４】台座の断面図
【符号の説明】
【００１６】
１  支え
２  台座
３  溝
４  磁石
【図１】
2005318984.tif 000003
【図２】
2005318984.tif 000004
【図３】
2005318984.tif 000005
【図４】
2005318984.tif 000006
(57)【要約】【課題】 特定の手の指に嵌めて装着することにより、その指と、指の付け根の関節周辺に存在する健康ツボを複数刺激して、使用者の体調管理や健康増進を図る健康指輪を提供しようとするものである。【解決手段】 指輪１において、湾曲した輪郭のＶ字形リング体２をＰ軸方向に垂直に形成し、その内面に所要の径と高さの突起物４ａ、４ｂを所要の間隔をあけて配備し、指輪１におけるリング腕３の内径面にも所要の径と高さの突起物４ｃを配備する。【選択図】 図１
2005318929.tif 000002
【特許請求の範囲】
【請求項１】
指輪１を手の人差し指に嵌めたとき、その指の付け根方向に、湾曲した輪郭でV字形をなすように突出したリング体２が、指輪１の円弧に沿ってP軸方向に垂直に形成されていることを特徴とする健康指輪。      
【請求項２】
指輪１におけるリング体２の内面の先端部に所要の径と高さの突起物４aを配備し、その位置から所要の間隔をあけて、所要の径と高さの突起物4ｂを配備する。さらに、指輪１におけるリング腕３の内径面にも、突起物4ｂと対向する位置に所要の径と高さの突起物4cを配備したことを特徴とする請求項１記載の健康指輪。
【発明の詳細な説明】
【技術分野】
【０００１】
この発明は、手の人差し指に嵌めて、その指に存在するツボと、指の付け根の関節周辺に存在するツボを的確に複数刺激することができる健康指輪に関するものである。
【背景技術】
【０００２】
従来の指輪は、一般的に指の付け根の切れ込みから第二関節までの範囲内に装着するものであった。または、内周面に突起物を設けるものの、指だけを刺激するものであった。  （例えば特開２００４−８１７６３号参照）
【特許文献１】特開２００４−８１７６３号公報
【発明の開示】
【発明が解決しようとする課題】
【０００３】
東洋医学で知られる健康ツボは手の指に多くみられるが、医学書によると手における重要なツボは指からはなれた場所にも存在する。この発明は、嵌めた指のツボはもちろんのこと、指の付け根の関節周辺に存在するツボも刺激し、体調管理や健康増進を図ることのできる健康指輪を提供することを課題とする。
【課題を解決するための手段】
【０００４】
指輪１を手の人差し指に嵌めたとき、その指の付け根方向に、湾曲した輪郭でV字形をなすように突出したリング体２が、指輪１の円弧に沿ってP軸方向に垂直に形成されていることを特徴とする健康指輪である。
【０００５】
そして、リング体２の内面の先端部に所要の径と高さの突起物４aを配備し、その位置から所要の間隔をあけて、所要の径と高さの突起物4bを配備する。さらに、指輪１におけるリング腕３の内径面にも、突起物4bと対向する位置に所要の径と高さの突起物4ｃを配備するのである。
【発明の効果】
【０００６】
この発明の健康指輪は、手の人差し指に嵌めて使用するとき、その指に存在するツボと指の付け根の関節周辺に存在するツボを的確に複数刺激するので、使用者の健康増進を図ることができるのである。
【０００７】
また、この発明の健康指輪の形体特性により、手の人差し指の側面部(親指側)にリング体２が沿うように嵌める装着方法以外に、人差し指の付け根の関節と中指の付け根の関節の間にリング体２の先端が接触するように嵌める装着方法があり、目的にかなったツボを刺激することができるのである。
【発明を実施するための最良の形態】
【０００８】
以下、この発明の実施例を図面に基づいて説明する。
【０００９】
図１は、この発明の健康指輪の全体斜視図である。指輪１は、円周の約１／３を占める弧に沿って、湾曲した輪郭でＶ字形をなすようにP軸方向に垂直に形成されてなるリング体２と、円周の約２／３を占める弧に沿って略帯状に形成されたリング腕３との一体化により構成されている。
【００１０】
そして、リング体２の内面の先端に突起物４aが配備され、この実施例では通気口として設けられた所要の寸法の空洞６を挟むように突起物４ｂが配備されていて、この2つの突起物はP軸に対して平行線上に配列されている。
【００１１】
また、リング腕３の内径面には、突起物4ｃが突起物４ｂに対向して配備されているのである。
【００１２】
この実施例では、突起物のサイズは直径3mm〜４mm、高さ１mm〜２mmの範囲のものを使用し、4aと4bの間隔Zは6mm〜8mmの範囲で設定することが最良である。
【００１３】
さらに、この実施例のように、リング腕３の一部を切欠した合口５を設けてフリーサイズにすることが好ましい。
【００１４】
この健康指輪の使用に当たっては、図２に示すように、Ｖ字形リング体２の先端を手の人差し指の付け根方向に嵌めて、突起物４ａが手の甲の側面部（親指側）に接触し、突起物４ｂが指の側面部（親指側）に接触するように装着する。かくして、突起物４ａが三間と称するツボを刺激し、突起物４ｂは二間と称するツボを刺激。突起物４ｃは第二二間と称するツボを同時に刺激することになり、使用者の体調管理や健康増進を図ることができる。
【００１５】
また、リング体２はＶ字形に湾曲している形体特性から、図３に示すように、手において人差し指の付け根にある関節と中指の付け根にある関節の間に突起物４ａが接触するように嵌めることもできるのであり、この装着方法では頚頂点と称するツボを刺激することができる。
【００１６】
この健康指輪の素材は、シルバーやプラチナ、もしくは１８金などでも良く、また突起物は、ゲルマニウムなどの安全で副作用のない生体電流を整える物質を使用しても、なお良いのである。
【００１７】
この発明の健康指輪は、P軸を中心に180度回転させることにより、左右の手の人差し指に装着して使用することが可能である。
【図面の簡単な説明】
【００１８】
【図１】この発明の健康指輪の、全体斜視図である。
【図２】この発明の健康指輪を、手の人差し指に装着した状態の斜視図である。
【図３】この発明の健康指輪の、他の装着状態の斜視図である。
【符号の説明】
【００１９】
１  指輪
２  リング体
３  リング腕
４a 突起物
４b 突起物
４c 突起物  
５  合口 
６  空洞
Ｐ  指輪の中心軸
Ｚ  突起物４aと４bの配備間隔
【図１】
2005318929.tif 000003
【図２】
2005318929.tif 000004
【図３】
2005318929.tif 000005